(57)【要約】【課題】フラットケーブルがコンタクトガラスに接触した場合にその接触面積を小さくすることを、装置全体のサイズを増大させることなく実現する。【解決手段】画像読取装置は、コンタクトガラスと、フレームと、副走査方向に往復移動するスキャナーと、スキャナーに一端が接続されるフラットケーブルとを備える。スキャナーには、主走査方向に延びたケーブル口が設けられ、当該ケーブル口にフラットケーブルの一端が接続される。フレームには、フラットケーブルの他端を、その幅方向が主走査方向に一致するようにフレームに固定するフレーム固定部が設けられる。そして、フラットケーブルのフラット面の一部が、コンタクトガラスの下面に対して傾斜している。【選択図】図４
2017135537.tif 000002
【特許請求の範囲】
【請求項１】
読取対象の原稿が載置されるコンタクトガラスと、
前記コンタクトガラスを支持する箱形のフレームと、
主走査方向に延びた読取機構を有し、前記フレーム内の前記コンタクトガラスの原稿が載置される上面とは反対側の下面側において副走査方向に往復移動するスキャナーと、
前記スキャナーによる画像読み取り動作を制御する制御部と、
前記スキャナーに一端が接続され、前記制御部に他端が接続され、前記スキャナーと前記制御部との間で信号の伝達を行うフラットケーブルと、を備え、
前記スキャナーには、前記主走査方向に延びたケーブル口が設けられ、当該ケーブル口に前記フラットケーブルの前記一端が接続され、
前記フレームには、前記フラットケーブルの他端を、その幅方向が前記主走査方向に一致するように前記フレームに固定するフレーム固定部が設けられ、
前記フラットケーブルのフラット面の一部が、前記コンタクトガラスの下面に対して傾斜している、画像読取装置。
【請求項２】
前記ケーブル口および前記フレーム固定部は、主走査方向における位置が互いに異なるように設けられ、
前記ケーブル口および前記フレーム固定部の主走査方向における位置が異なることで、前記フラットケーブルのフラット面の一部が、前記コンタクトガラスの下面に対して傾斜している、請求項１に記載の画像読取装置。
【請求項３】
前記ケーブル口および前記フレーム固定部は、主走査方向における位置が一致するように設けられ、
前記副走査方向から視認した場合に前記ケーブル口の一端または他端を覆うリブを更に備え、
前記フラットケーブルの幅方向端部が前記リブに乗り上がることで、前記フラットケーブルのフラット面の一部が、前記コンタクトガラスの下面に対して傾斜している、請求項１に記載の画像読取装置。
【請求項４】
前記リブは、前記副走査方向から視認した場合に前記ケーブル口の一端または他端を覆う幅広部と、前記幅広部よりも狭い幅であり、前記副走査方向から視認した場合に前記ケーブル口の一端および他端を覆わない幅狭部とを有し、
前記フラットケーブルの幅方向端部は、前記幅広部と前記幅狭部との間に案内されることで前記リブに乗り上がる、請求項３に記載の画像読取装置。
【請求項５】
前記幅狭部には、前記ケーブル口側に突出した突出片が形成されている、請求項４に記載の画像読取装置。
【請求項６】
前記ケーブル口を挟んで前記リブに対向する位置には、前記幅広部および前記幅狭部に対して平行な平面を有する壁部が設けられ、
前記幅広部と前記壁部との間隔は、前記フラットケーブルの幅よりも狭く、前記幅狭部と前記壁部との間隔は、前記フラットケーブルの幅よりも広くなっている、請求項４または請求項５に記載の画像読取装置。
【請求項７】
前記幅広部と前記幅狭部との間は、Ｒ形状になっている、請求項４乃至請求項６の何れか１項に記載の画像読取装置。
【請求項８】
前記フレーム固定部は、前記フレームにおける前記コンタクトガラスに対向する面に設けられ、
前記フラットケーブルは、前記一端と前記他端との間で折り返されている、請求項１乃至請求項７の何れか１項に記載の画像読取装置。
【請求項９】
請求項１乃至請求項８の何れか１項に記載の画像読取装置と、
前記画像読取装置が読み取った画像を記録紙に形成する画像形成部と、を備える画像形成装置。
【発明の詳細な説明】
【技術分野】
【０００１】
本発明は、画像読取装置および当該画像読取装置を備える画像形成装置に関する。
【背景技術】
【０００２】
主走査方向に延びた読取部を有するスキャナーを副走査方向に往復移動させることで、コンタクトガラスに載置された原稿の画像を読み取る画像読取装置が知られている。この画像読取装置においては、スキャナーの往復移動に応じてスキャナーに接続したケーブルが頻繁に折り曲がるため、折り曲がりに強いフラットケーブルがスキャナーとの接続に用いられる。
【０００３】
ここで、フラットケーブルは、スキャナーの往復移動に応じた変形により、コンタクトガラスに接触する場合がある。フラットケーブルがコンタクトガラスに接触する面積が大きいと、フラットケーブルがコンタクトガラスに張り付き、コンタクトガラスが汚れたりするおそれがある。
【０００４】
特許文献１には、フラットケーブルの変形によりその高さが最大になるときに、フラットケーブルが収まる凹部をフレーム内に形成する技術が開示されている。当該技術によれば、フラットケーブルがコンタクトガラスに接触し難い。またフラットケーブルがコンタクトガラスに接触した場合であっても、その接触面積が小さくなるため、フラットケーブルがコンタクトガラスに張り付いてコンタクトガラスが汚れるおそれが低い。
【先行技術文献】
【特許文献】
【０００５】
【特許文献１】特開２００４−１０４３９２号公報
【発明の概要】
【発明が解決しようとする課題】
【０００６】
しかしながら、特許文献１に開示される技術では、フラットケーブルが収まる凹部を確保するためにフレームが大きくなるので、装置全体のサイズが増大するという問題がある。
【０００７】
本発明は、上記の事情に鑑みなされたものであり、フラットケーブルがコンタクトガラスに接触した場合にその接触面積を小さくすることを、装置全体のサイズを増大させることなく実現することを目的とする。
【課題を解決するための手段】
【０００８】
本発明の一局面にかかる画像読取装置は、読取対象の原稿が載置されるコンタクトガラスと、前記コンタクトガラスを支持する箱形のフレームと、主走査方向に延びた読取機構を有し、前記フレーム内の前記コンタクトガラスの原稿が載置される上面とは反対側の下面側において副走査方向に往復移動するスキャナーと、前記スキャナーによる画像読み取り動作を制御する制御部と、前記スキャナーに一端が接続され、前記制御部に他端が接続され、前記スキャナーと前記制御部との間で信号の伝達を行うフラットケーブルと、を備え、前記スキャナーには、前記主走査方向に延びたケーブル口が設けられ、当該ケーブル口に前記フラットケーブルの前記一端が接続され、前記フレームには、前記フラットケーブルの他端を、その幅方向が前記主走査方向に一致するように前記フレームに固定するフレーム固定部が設けられ、前記フラットケーブルのフラット面の一部が、前記コンタクトガラスの下面に対して傾斜している、画像読取装置である。
【０００９】
また、本発明の別の一局面にかかる画像形成装置は、上記の画像読取装置と、上記の画像読取装置が読み取った画像を記録紙に形成する画像形成部と、を備える画像形成装置である。
【発明の効果】
【００１０】
本発明によれば、フラットケーブルがコンタクトガラスに接触した場合にその接触面積を小さくすることを、装置全体のサイズを増大させることなく実現できる。
【図面の簡単な説明】
【００１１】
【図１】本発明の一実施形態にかかる画像読取装置を備えた画像形成装置を示す斜視図である。
【図２】（Ａ）は、本発明の一実施形態にかかる画像読取装置の読取部を示す斜視図であり、（Ｂ）は、読取部を示す断面図である。
【図３】本発明の一実施形態にかかる画像読取装置のスキャナーを示す斜視図である。
【図４】（Ａ）および（Ｂ）は、本発明の一実施形態にかかる画像読取装置の読取部を示す断面図であり、（Ａ）は、ケーブル口の主走査方向における位置と、筐体固定部の主走査方向における位置との関係を示し、（Ｂ）は、フラットケーブルが接続された状態を示す。
【図５】一般的な画像読取装置における読取部を示す斜視図である。
【図６】（Ａ）および（Ｂ）は、一般的な画像読取装置にかかる読取部を示す断面図であり、（Ａ）は、ケーブル口の主走査方向における位置と、筐体固定部の主走査方向における位置との関係を示し、（Ｂ）は、フラットケーブルが接続された状態を示す。
【図７】（Ａ）は、変形例１にかかる画像読取装置において、ケーブル口の主走査方向における位置と、筐体固定部の主走査方向における位置との関係を示す図であり、（Ｂ）は、変形例１にかかるスキャナーを示す斜視図であり、（Ｃ）は、（Ａ）に示す図の一部を拡大した拡大図である。
【図８】（Ａ）および（Ｂ）は、変形例３にかかる画像読取装置のケーブル口付近を示す図である。
【発明を実施するための形態】
【００１２】
以下、本発明の一実施形態にかかる画像読取装置およびこれを備えた画像形成装置について図面を参照して説明する。図１は、本発明の一実施形態にかかる画像読取装置を備えた画像形成装置を示す斜視図である。
【００１３】
図１に示すように、画像形成装置１は、装置本体８０と、装置本体８０の上方に配置された画像読取装置１０とから概略構成される。
【００１４】
装置本体８０の外郭を構成する筐体８１の内部には、画像形成部（不図示）等が収容されている。画像形成部は、感光体ドラム（不図示）、帯電装置（不図示）、露光装置（不図示）、および現像装置（不図示）等を備え、帯電、露光、現像の工程により、感光体ドラムに画像読取装置１０が読み取った原稿のトナー画像を形成する。その後、画像形成部は、当該トナー像を記録紙に転写して定着処理を施した記録紙を排出トレイ８２に排出する。
【００１５】
装置本体８０の筐体８１の前面には、操作部８３が配置されている。操作部８３は、画像読取ジョブの実行を指示するためのスタートキー等の複数の操作キー８３１と、液晶ディスプレイ（ＬＣＤ：Liquid Crystal Display）や有機ＥＬ（ＯＬＥＤ：Organic Light-Emitting Diode）ディスプレイを含んで構成される表示部８３２とを備えている。
【００１６】
画像読取装置１０は、読取部３０と、読取部３０の上方に配置された原稿搬送部２０とを備えている。原稿搬送部２０は、原稿載置台２１に載置された原稿を、後述するコンタクトガラス３２（図２（Ａ）参照）に向けて搬送する。コンタクトガラス３２に搬送された原稿は、予め定められた原稿読取位置で後述するスキャナー４０（図２（Ａ）参照）により読み取られ、その後原稿排出部２２へ排出される。
【００１７】
また、原稿搬送部２０は、コンタクトガラス３２の主面に対して開閉自在に設けられており、コンタクトガラス３２に載置された原稿を押さえる原稿押さえ部材としての役割も果たす。
【００１８】
図２（Ａ）は、読取部３０を示す斜視図であり、図２（Ｂ）は、読取部３０を示す断面図である。これらの図に示されるように、読取部３０は、箱形の筐体３１（ケーシング）を備えている。筐体３１の上面３１Ａ（原稿搬送部２０が閉じられた状態で原稿搬送部２０に対向する面）には開口が設けられており、当該開口にコンタクトガラス３２が装着されている。
【００１９】
コンタクトガラス３２の原稿が載置される上面とは反対側の下面側には、スキャナー４０が設けられている。図３は、スキャナー４０を示す斜視図である。スキャナー４０の筐体４１には、筐体３１の下面３１Ｂ上に設けられたレール３５に跨座する溝部４２が設けられている。レール３５は、副走査方向（図中のＸ方向）に延びており、スキャナー４０は、モーターやギアからなる不図示の駆動部により、溝部４２がレール３５に跨座した状態でレール３５に沿って副走査方向に往復移動する。
【００２０】
スキャナー４０は、主走査方向（図中のＹ方向）に延びた読取機構４３を有する。読取機構４３は、赤色ＬＥＤ、緑色ＬＥＤ、青色ＬＥＤの複数のＬＥＤ等から構成された発光部（不図示）と、ＣＭＯＳ（Complementary Metal Oxide Semiconductor）イメージセンサー等の受光部（不図示）から構成されている。スキャナー４０は、発光部により、赤、緑、青の３色の光を切り替えながら読取対象の原稿に向けて光を照射するとともに、受光部により原稿で反射された反射光を受光する。受光部は、受光した光を電気信号へ変換して、主走査方向の１ライン分の画像データを取得する。
【００２１】
スキャナー４０は、スキャナー４０による画像読み取り動作を制御する制御部（不図示）と、後述するフラットケーブル３３を介して電気的に接続されている。制御部は、ＣＰＵ(Central Processing Unit)、ＲＡＭ（Random Access Memory）、およびＲＯＭ（Read Only Memory）等から構成される制御ユニットや、アナログ／デジタル変換回路等のハード回路等を含む。スキャナー４０が取得した画像データは、フラットケーブル３３を伝達し、制御部で、デジタル信号化、シェーディング補正、ガンマ補正、色収差補正、ＭＴＦ（Modulation Transfer Function）補正およびスキャナー色補正等の様々な画像処理が施される。そして、当該画像処理により生成された画像データは、内蔵の画像メモリー（不図示）やＨＤＤ等の記憶部（不図示）に記憶される。
【００２２】
なお、フラットケーブル３３は、上記の画像データだけでなく、スキャナー４０を駆動させる電力やスキャナー４０の画像読み取り動作を制御する制御信号等が伝達される。
【００２３】
フラットケーブル３３は、一定間隔で並べた複数の導線を樹脂皮膜で覆ったリボン状のケーブルである。フラットケーブル３３は、変形した場合にも電気的特性を維持できるという特性があり、往復移動するスキャナー４０に接続するケーブルとして好適である。フラットケーブル３３の一端にはスキャナー４０に設けられた主走査方向に延びるケーブル口４４に嵌まるソケットが設けられ、他端には制御部に設けられたピンヘッダー（不図示）に嵌まるソケットが設けられている。
【００２４】
筐体３１の下面３１Ｂ上には、フラットケーブル３３の他端を筐体３１に固定する筐体固定部３４（フレーム固定部）が設けられている。筐体固定部３４は、例えばクリップホルダであり、クリップホルダの爪間に挿通されたフラットケーブル３３を下方に押圧する。これにより、フラットケーブル３３は、そのフラット面が筐体３１の下面３１Ｂと接した状態で（図２（Ｂ）参照）筐体３１に固定される。またこの時、フラットケーブル３３の幅方向は、主走査方向に一致する。
【００２５】
ここで、フラットケーブル３３は、図２（Ｂ）に示されるように、一端と他端との間で折り返され湾曲した状態で筐体３１内に収容されている。このため、スキャナー４０の位置によっては、図２（Ｂ）に示されるようにフラットケーブル３３の一部分がコンタクトガラス３２に接触する場合がある。
【００２６】
特に、スキャナー４０が筐体固定部３４の上方に位置する場合、フラットケーブル３３の一端と他端とが最近接するため、フラットケーブル３３の一部分がコンタクトガラス３２に接触し易い。フラットケーブル３３がコンタクトガラス３２に接触する面積が大きいと、フラットケーブル３３がコンタクトガラス３２に張り付き、コンタクトガラス３２が汚れたりするおそれがある。
【００２７】
本発明の一実施形態にかかる画像読取装置１０では、ケーブル口４４と筐体固定部３４との位置関係を工夫することにより、フラットケーブル３３がコンタクトガラス３２に接触する面積を小さくしている。以下、この点について詳細に説明する。
【００２８】
図４（Ａ）は、ケーブル口４４の主走査方向における位置と、筐体固定部３４の主走査方向における位置との関係を示す図である。本図に示すように、画像読取装置１０では、ケーブル口４４の主走査方向における位置と、筐体固定部３４の主走査方向における位置とをずらしている。このような位置にケーブル口４４および筐体固定部３４を設置することで、図４（Ｂ）に示すように、フラットケーブル３３のフラット面の一部、特に、ケーブル口４４に近傍する部分が、コンタクトガラス３２の下面に対してわずかに傾斜するようになる。その結果、フラットケーブル３３がコンタクトガラス３２に接触したとしても、フラット面全体がコンタクトガラス３２に接触するのではなく、フラット面の一部のみがコンタクトガラス３２に接触するようになる。
【００２９】
図５は、一般的な画像読取装置における読取部を示す斜視図である。また図６（Ａ）は、一般的な画像読取装置におけるケーブル口の主走査方向における位置と、筐体固定部の主走査方向における位置との関係を示す図である。図２等に示す読取部３０と同じ構成については、同符号を付して説明を略する。
【００３０】
これらの図に示すように、一般的な画像読取装置の読取部１３０では、ケーブル口４４の主走査方向における位置と、筐体固定部１３４の主走査方向における位置とが一致している。このため、図６（Ｂ）に示すように、フラットケーブル１３３のフラット面が、コンタクトガラス３２の下面に対して平行となる。その結果、フラットケーブル１３３がコンタクトガラス３２に接触した場合、フラット面全体がコンタクトガラス３２に接触する。
【００３１】
図４（Ｂ）と図６（Ｂ）とを比較すると、図４（Ｂ）に示す方がフラットケーブル３３がコンタクトガラス３２に接触する面積が小さいことが分かる。このように、画像読取装置１０によれば、筐体３１のサイズを変えることなく、フラットケーブル３３がコンタクトガラス３２に接触した場合の接触面積を一般的な画像読取装置と比較して小さくすることができる。
【００３２】
なお、本発明は、上記の実施の形態の構成に限られず種々の変形が可能である。
【００３３】
＜変形例１＞
図７（Ａ）は、変形例１にかかる画像読取装置において、ケーブル口の主走査方向における位置と、筐体固定部の主走査方向における位置との関係を示す図であり、図７（Ｂ）は、変形例１にかかるスキャナーを示す斜視図である。なお図２等に示す読取部３０と同じ構成については、同符号を付して説明を略する。
【００３４】
図７（Ａ）に示すように、変形例１にかかる読取装置２３０は、一般的な画像読取装置と同様に、ケーブル口４４の主走査方向における位置と、筐体固定部１３４の主走査方向における位置とが一致している。
【００３５】
図７（Ｂ）に示すように、スキャナー２４０の筐体２４１には、幅広部２４５Ａおよび幅広部２４５Ａよりも狭い幅である幅狭部２４５Ｂからなるリブ２４５が設けられている。リブ２４５の幅広部２４５Ａは、副走査方向（図中のＸ方向）から視認した場合にケーブル口４４の端を覆う（図７（Ａ）参照）。リブ２４５の幅狭部２４５Ｂには、ケーブル口４４側に突出した突出片２４５Ｃが形成されている（図７（Ｃ）参照）。
【００３６】
また、ケーブル口４４を挟んでリブ２４５に対向する位置にある筐体２４１の壁部２４６は、幅広部２４５Ａおよび幅狭部２４５Ｂに対して平行な平面となっている。幅広部２４５Ａと壁部２４６との間隔は、フラットケーブル２３３のケーブル幅よりも狭くなっている。一方、幅狭部２４５Ｂと壁部２４６との間隔は、フラットケーブル２３３のケーブル幅よりも広くなっている。また壁部２４６には、ケーブル口４４側に突出した突出片２４５Ｄが形成されている。
【００３７】
リブ２４５が上記の形状を備えるため、フラットケーブル２３３のうちケーブル口４４に近傍する部分の幅方向端部は、幅広部２４５Ａと幅狭部２４５Ｂとの間に案内され、リブ２４５に乗り上がる（図７（Ｃ）参照）。この結果、フラットケーブル２３３のフラット面の一部、特にケーブル口４４に近傍する部分が、コンタクトガラス３２の下面に対してわずかに傾斜するようになる。このとき、リブ２４５の幅狭部２４５Ｂに形成された突出片２４５Ｃ、および壁部２４６に形成された突出片２４５Ｄは、フラットケーブル２３３の図中のマイナスＺ方向への移動を規制するストッパーとしての役割を果たす。このように、フラットケーブル２３３は、リブ２４５および壁部２４６により安定した状態で、コンタクトガラス３２の下面に対してわずかに傾斜した姿勢で保持される。
【００３８】
フラットケーブル２３３が上記の姿勢で保持されるため、フラットケーブル２３３がコンタクトガラス３２に接触したとしても、フラット面全体がコンタクトガラス３２に接触するのではなく、フラット面の一部のみがコンタクトガラス３２に接触するようになる。
【００３９】
＜変形例２＞
上記の実施形態および変形例にかかる画像読取装置では、フラットケーブルとコンタクトガラスとが接触する面積を小さくすることができるが、接触する面積が小さくなったために、コンタクトガラスからフラットケーブルにかかる力が一部分に集中して、フラットケーブルが傷つくおそれがある。このため、フラットケーブルのコンタクトガラスに接触することが想定される幅方向端部をフィルム等の補強部材を用いて補強してもよい。
【００４０】
＜変形例３＞
図８（Ａ）は、変形例３にかかる画像読取装置のケーブル口付近を示す図である。本図に示すように、変形例３にかかる画像読取装置では、リブ２４５の幅広部２４５Ａと幅狭部２４５Ｂとの間がＲ形状になっている。これにより、フラットケーブル２３３が幅広部２４５Ａと幅狭部２４５Ｂとの間のＲ面に接触した状態になる（図８（Ｂ）参照）。その結果、リブ２４５からフラットケーブル２３３への応力集中を防ぐことができ、フラットケーブル２３３の変形や損傷を抑制することができる。
【００４１】
＜その他の変形例＞
上記の実施形態では、筐体固定部３４がクリップホルダである場合を説明したが、本発明は必ずしもこの場合に限定されるものではない。フラットケーブル３３のフラット面が筐体３１の下面３１Ｂと接した状態、かつ、フラットケーブル３３の幅方向が主走査方向に一致する状態で、フラットケーブル３３を筐体３１に固定できればよく、例えば粘着テープ等を用いてフラットケーブル３３を固定してもよい。
【００４２】
また、上記の実施の形態は、２つの筐体固定部３４を用いてフラットケーブル３３の２点を押さえる構成であったが、３以上の筐体固定部３４を用いフラットケーブル３３の３点以上を押さえる構成を採用してもよい。フラットケーブル３３を筐体３１に固定する領域を大きくすることで、フラットケーブル３３の浮き上がりを抑制することができるので、フラットケーブル３３がコンタクトガラス３２に接触した場合の接触面積をより小さくすることができる。
【符号の説明】
【００４３】
１      画像形成装置
１０    画像読取装置
２０    原稿搬送部
３０    読取部
３１    筐体
３２    コンタクトガラス
３３    フラットケーブル
３４    筐体固定部
３５    レール
４０    スキャナー
４１    筐体
４２    溝部
４３    読取機構
４４    ケーブル口
２４５  リブ
【図１】
2017135537.tif 000003
【図２】
2017135537.tif 000004
【図３】
2017135537.tif 000005
【図４】
2017135537.tif 000006
【図５】
2017135537.tif 000007
【図６】
2017135537.tif 000008
【図７】
2017135537.tif 000009
【図８】
2017135537.tif 000010